(57)【要約】  換気装置でＣＯ２濃度を所定値以下にする設備において時間を考慮した省エネ性を向上するために必要となるパラメータを比較的簡単な構成で得ることを目的とする。  本発明のパラメータ学習装置１は、建物内の空気を換気する換気装置２の運転データと、前記建物内のＣＯ２濃度の計測データと、前記建物内のＣＯ２の発生量の時間変化に相関する変動パラメータと、時間変化しない設計パラメータと、を記憶する記憶装置１３と、前記変動パラメータと前記設計パラメータと前記運転データとから前記建物内のＣＯ２濃度を演算する演算装置１４と、を備え、前記演算装置１４は前記演算によって得たＣＯ２濃度と前記計測データとを比較して、前記変動パラメータおよび前記設計パラメータを学習する。
2015173842.tif 000002
【特許請求の範囲】
【請求項１】
建物内の空気を換気する換気装置の運転データと、前記建物内のＣＯ２濃度の計測データと、前記建物内のＣＯ２の発生量の時間変化に相関する変動パラメータと、前記建物の時間変化しない設計パラメータと、を記憶する記憶装置と、
前記変動パラメータと前記設計パラメータと前記運転データとから前記建物内のＣＯ２濃度を演算する演算装置と、を備え、
前記演算装置は前記演算によって得たＣＯ２濃度と前記計測データとを比較して、前記変動パラメータおよび前記設計パラメータを学習することを特徴とするパラメータ学習装置。
【請求項２】
前記演算装置は、
前記設計パラメータの学習においては、前記変動パラメータを一定として、前記設計パラメータを変化させてＣＯ２濃度を計算し、前記計測データと比較演算して、該比較演算の結果が所定の条件を満した場合に設計パラメータを変化させた設計パラメータで更新するように学習し、
前記変動パラメータの学習においては、前記設計パラメータを一定として、前記変動パラメータを変化させてＣＯ２濃度を計算し、前記計測データと比較演算して、該比較演算の結果が所定の条件を満した場合に変動パラメータを変化させた変動パラメータで更新するように学習することを特徴とする請求項１に記載のパラメータ学習装置。
【請求項３】
前記演算装置が前記変動パラメータを用いて将来のＣＯ２濃度を予測計算することを特徴とする請求項１または２に記載のパラメータ学習装置。
【請求項４】
前記変動パラメータが、在室人員の時間変化を示すパラメータであることを特徴とする請求項１〜３のいずれか１項に記載のパラメータ学習装置。
【請求項５】
前記演算装置が、将来の換気装置の運転予定を用いて将来のＣＯ２濃度の時間変化を予測することを特徴とする請求項１〜４のいずれか１項に記載のパラメータ学習装置
【請求項６】
前記演算装置が、ＣＯ２発生量と前記建物内部の発熱量の相関関係式と、学習によって得た前記変動パラメータ及び前記設計パラメータを用いて、建物内部の発熱量の時間変化を演算することを特徴とする請求項１〜４のいずれか１項に記載のパラメータ学習装置。
【請求項７】
前記演算装置が、ＣＯ２発生量と前記建物内部の消費電力の相関関係式と、学習によって得た前記変動パラメータ及び前記設計パラメータを用いて、建物内部の消費電力の時間変化を演算することを特徴とする請求項１〜４のいずれか１項に記載のパラメータ学習装置。
【請求項８】
建物内の空気を換気する換気装置の運転データと、前記建物内のＣＯ２濃度を計測するＣＯ２センサの計測データと、ＣＯ２の発生量の時間変化に相関する変動パラメータと、時間変化しない設計パラメータと、を記憶し、
前記変動パラメータと前記設計パラメータと前記運転データとを用いて前記建物内のＣＯ２濃度を演算し、
前記演算の結果得たＣＯ２濃度と前記計測データとを比較して、両者の差が小さくなるように、前記変動パラメータおよび前記設計パラメータを学習することを特徴とするパラメータ学習方法。
【発明の詳細な説明】
【技術分野】
【０００１】
この発明は、換気装置の省エネ運転で考慮されるパラメータを得る技術に関するものである。
【背景技術】
【０００２】
従来の空調制御において、ＣＯ２濃度に応じて換気装置を制御する制御システム、制御装置、制御方法が知られている。例えば特許文献１に開示されている技術では、建物内に取り込む外気のＣＯ２濃度と建物外に排気する室内空気のＣＯ２濃度とを計測して、室内のＣＯ２発生量を推定する。さらに、空調負荷の分布からエリア毎のＣＯ２濃度分布を推定し、推定結果を基にエリア毎の換気量を制御する。また、特許文献２に開示されている技術では、室内のＣＯ２濃度を計測し、ＣＯ２濃度を所定値以下にするために必要な外気量を室内に供給するよう外気用ファンを制御する。
【先行技術文献】
【特許文献】
【０００３】
【特許文献１】特開２０１３−４７５７９号公報
【特許文献２】特開２０１０−７１４８９号公報
【発明の概要】
【発明が解決しようとする課題】
【０００４】
特許文献１および２に開示されている従来の空調制御では、各時刻でＣＯ２濃度の計測値から換気量を決定し制御する技術であるため、その時刻だけを見れば適切な換気制御が行われる。しかし、これらの文献の構成では、例えば１日トータルで必要となるエネルギーを考慮することができず、省エネ性は十分でない。【０００５】
そこで、本発明は、換気装置で建物内のＣＯ２濃度を所定値以下にする場合において、時間を考慮した省エネ性向上に有用となるパラメータを比較的簡単な構成で得ることを目的とする。
【課題を解決するための手段】
【０００６】
本発明のパラメータ学習装置は、建物内の空気を換気する換気装置の運転データと、前記建物内のＣＯ２濃度の計測データと、前記建物内のＣＯ２の発生量の時間変化に相関する変動パラメータと、時間変化しない設計パラメータと、を記憶する記憶装置と、前記変動パラメータと前記設計パラメータと前記運転データとから前記建物内のＣＯ２濃度を演算する演算装置と、を備え、前記演算装置は前記演算によって得たＣＯ２濃度と前記計測データとを比較して、前記変動パラメータおよび前記設計パラメータを学習することを特徴とする。【０００７】
また、本発明のパラメータ学習方法は、建物内の空気を換気する換気装置の運転データと、前記建物内のＣＯ２濃度を計測するＣＯ２センサの計測データと、ＣＯ２の発生量の時間変化に相関する変動パラメータと、時間変化しない設計パラメータと、を記憶し、
前記変動パラメータと前記設計パラメータと前記運転データとを用いて前記建物内のＣＯ２濃度を演算し、前記演算の結果得たＣＯ２濃度と前記計測データとを比較して、両者の差が小さくなるように、前記変動パラメータおよび前記設計パラメータを学習することを特徴とする。
【発明の効果】
【０００８】
建物内の空気を換気する換気装置の運転データと前記建物内のＣＯ２濃度を計測するＣＯ２センサの計測データとから、建物内のＣＯ２の発生量の時間変化に相関する変動パラメータと時間変化しない設計パラメータとを学習するので、時間を考慮した省エネ性を向上するために有用となるパラメータを比較的簡単な構成で得ることができる。
【図面の簡単な説明】
【０００９】
【図１】本発明の実施の形態１のパラメータ学習装置を備えたシステムの構成図である。
【図２】本発明の実施の形態１のパラメータ学習装置の詳細構成図である。
【図３】本発明の実施の形態１のパラメータの学習手順を示すフローチャートである。
【図４】本発明の実施の形態１のパラメータ学習装置を備えたシステムの変形例を示す構成図である。
【図５】本発明の実施の形態１のパラメータ学習装置を備えたシステムの変形例を示す構成図である。
【図６】本発明の実施の形態１のパラメータ学習装置を備えたシステムの変形例を示す構成図である。
【図７】本発明の実施の形態２のパラメータ学習装置の詳細構成図である。
【図８】本発明の実施の形態２のＣＯ２濃度予測の処理手順を示すフローチャートである。
【図９】本発明の実施の形態２のＣＯ２濃度予測処理の説明図である。
【図１０】本発明の実施の形態３のパラメータ学習装置の詳細構成図である。
【図１１】本発明の実施の形態４のパラメータ学習装置の詳細構成図である。
【発明を実施するための形態】
【００１０】
＜実施の形態１．＞
本発明の実施の形態１のパラメータ学習装置は換気装置、空調機器の制御に使用されるパラメータを学習する装置である。図１は、本実施の形態１のパラメータ学習装置１を利用して換気装置２の運転を制御するシステムの構成図である。この図は、パラメータ学習装置１が、換気装置２と別のハードウェアで構成されている例を示している。パラメータ学習装置１は、入出力装置１１、計測装置１２、記憶装置１３、演算装置１４、制御指令出力装置１５により構成される。なお、データの送受信または制御指令などの信号によって結ばれる部品間の信号の送受信は図中に点線で示した。
【００１１】
換気装置２は、記憶装置２ａ、演算装置２ｂ、計測装置２ｃ、制御指令出力装置２ｄ、ファン２ｅ、弁２ｆ、熱交換ユニット２ｇにより構成される。制御指令を受けて換気動作を行う装置であるファン２ｅ、弁２ｆと、それらに制御指令を出力する制御装置である、記憶装置２ａ、演算装置２ｂ、計測装置２ｃ、制御指令出力装置２ｄとに分けられている。なお、図１では、換気装置２の構成要素として、一般的、主要な構成要素について列挙しただけであり、これら全ての構成要素２ａから２ｇを備えている必要はなく、図示していない構成要素を備えていてもよい。また、システムでは建物内のＣＯ２濃度を測定するＣＯ２センサ３を備える。図はＣＯ２センサ３を別体とした例であるが、換気装置２の一部に設けるようにしてもよい。
【００１２】
次に各装置に含まれる部分について説明する。まず、パラメータ学習装置１を構成する部分を説明する。
【００１３】
（入力装置１１）
入力装置１１は、管理者等のユーザによって行われた入力を受け入れて、記憶装置１３に情報を書き込み、記憶装置１３に保存されている情報を読み出して、ユーザに表示する装置である。入出力装置１１が記憶装置１３に書きこむ情報は、例えば、換気装置の管理情報、演算装置１４でパラメータの学習演算を行う際に使用する学習条件等である。入出力装置１１が記憶装置１３から読み出す情報は、例えば入力結果、学習結果等である。これら情報の詳細については、（記憶装置１３の詳細）で説明する。入出力装置１１は、例えばキーボード、マウス、タッチパネル、スイッチ等の入力に用いる装置と、例えばディスプレイ等の出力に用いる装置とを有する。
【００１４】
（計測装置１２）
計測装置１２は、換気装置２の記憶装置２ａに記憶されている換気装置２のファン２ｅ、弁２ｆ等の運転データと、ＣＯ２センサ３の計測データと、を収集する装置である。図１のように、パラメータ学習装置１と換気装置２とＣＯ２センサ３とが異なるハードウェアで構成される場合は、それらの要素部品間がＬＡＮ、シリアルネットワーク、専用配線等の通信ネットワーク装置で接続される。
【００１５】
（記憶装置１３）
記憶装置１３は、入出力装置１１により入力されたデータと、計測装置１２により計測されたデータと、演算装置１４による演算結果を記憶する装置である。具体的には、メモリ、ハードディスクドライブ等である。記憶する情報の詳細については、後述の（記憶装置１３の詳細）で説明する。
【００１６】
（演算装置１４）
演算装置１４は、記憶装置１３からパラメータの学習に必要な各種データを読み出し、各種データからパラメータの学習を行い、その結果を記憶装置１３に保存する装置である。具体的には、プロセッサ、演算用回路などである。演算内容の詳細については、後述の（演算装置１４の詳細）で説明する。
【００１７】
（制御指令出力装置１５）
制御指令出力装置１５は、学習したパラメータを用いて、換気装置２、その他の空調設備の制御指令を決定し、その指令を制御対象装置へ出力する装置である。図１のように、パラメータ学習装置１と換気装置２が異なるハードウェアで構成される場合は、ＬＡＮ、シリアルネットワーク、専用配線等の通信ネットワーク装置で制御指令出力装置１５と制御対象装置とが接続される。なお、制御指令出力装置１５を備えない構成としてもよい。制御指令出力装置１５を備えないかわりに、他の装置に学習したパラメータ、そのパラメータを用いた信号を他の機器に出力して、他の機器でそれらの値、信号を利用するようにしてもよい。
【００１８】
次に、換気装置２を構成する部分を説明する。ファン２ｅは、建物外の空気を室内に取り入れ、室内の空気を建物外に排出する、空気の流れを生成するための装置である。通常、建物外の空気を室内に取り入れるためのファンと、室内の空気を建物外に排出するファンが個別に設置される。弁２ｆは、前記空気の流れの経路を切り替えるための装置である。例えば、建物外の空気を室内に取り入れる場合、熱交換ユニット２ｇを経由する経路と、経由しない経路を切り替えるために用いられる。熱交換ユニット２ｇは、建物外から室内に取り入れる空気と、室内から建物外に排出する空気との間で熱交換を行うための装置である。
【００１９】
記憶装置２ａは、換気装置２における計測制御を行うために必要な情報を記憶する装置であり、メモリ等である。演算装置２ｂは、ファン２ｅ、弁２ｆ等への制御指令を演算する装置であり、プロセッサ等である。計測装置２ｃは、ファン２ｅ、弁２ｆ等の機器のデータを計測する装置である。制御指令出力装置２ｄは、ファン２ｅ、弁２ｆ等の制御対象機器への制御指令を出力する装置である。
【００２０】
ＣＯ２センサ３は、室内のＣＯ２濃度を計測するセンサであり、建物の室内に設置される。また、換気装置２に設置する場合は空気の流れの経路のいずれかに設置し、室内のＣＯ２濃度の代替として利用してもよい。また、建物内だけでなく建物外のＣＯ２濃度を計測するセンサも設置してもよい。
【００２１】
図２は本実施の形態１のパラメータ学習装置１の詳細構成図である。図１のうち特に記憶装置１３と演算装置１４を詳細化した図であり、パラメータの学習に関与しない制御指令出力装置１５等は省略した。以下、記憶装置１３と演算装置１４の詳細な構成について説明する。なお、図では運転データ、計測データを送信する換気装置２も示した。
【００２２】
（記憶装置１３の詳細）
記憶装置１３は、演算装置１４のモデルパラメータ学習部１４ａでのパラメータ学習に用いられる学習条件と、運転データ、計測データと、ＣＯ２濃度変化モデルと、を記憶する。
【００２３】
学習条件は、換気装置を含む対象とする空調システムに関する設備情報、パラメータ学習の開始を判断するための開始条件、学習の終了を判断するための終了条件等である。所定の期間をおいて繰り返してパラメータ学習を行う場合、その期間が開始条件であり、記憶装置１３では、たとえば、その期間内の運転データ、計測データが保持される。
【００２４】
運転データ、計測データは、過去の所定の期間の換気装置の運転データと、過去の所定の期間においてＣＯ２センサで計測したＣＯ２濃度データとから構成される。換気装置の運転データとは、各時刻の換気装置の出力（ＯＮ／ＯＦＦ、強・中・弱、離散的な出力％、連続的な出力％等）、換気風量（ｍ３）等が代表的であるが、これに限定されるものではない。以下、説明を簡単にするため、換気装置の出力の強・中・弱と停止を換気装置の運転データとして説明する。データの時間間隔は、例えば５分間隔であるが、これに限定する必要はない。モデルの精度の面からは１分間隔のように短い方が好ましいが、１０分間隔、３０分間隔等であってもよい。記憶装置１３、演算装置１４の処理能力、モデル作成のために許容される計算時間等により、記憶されているデータが１分間隔であっても、学習に使用するときは５分間隔等に間引きして用いてもよい。また、換気装置２の運転データとＣＯ２濃度データは、異なる時間間隔で記憶されてもよい。
【００２５】
ＣＯ２濃度変化モデルは、後述するようなＣＯ２濃度変化をあらわすモデル式と、モデル式内で使用される、設計パラメータと、変動パラメータと、既知パラメータとから構成される。設計パラメータは、建物の時間変化しないパラメータであり、たとえば天井高、設計換気風量などである。変動パラメータはＣＯ２の発生量と相関があり、時間によって変化するパラメータであり、たとえば建物内でＣＯ２を発生する人員の時間的変化である。以下では説明を簡単にするため、オフィスビルを建物として、その主なＣＯ２発生源が執務者である場合を想定して説明するが、これに限定する必要はない。ＣＯ２発生源としては、この他にも燃焼機器によるＣＯ２発生等がある。既知パラメータは、時間によって変化しないパラメータであり、その点で設計パラメータと類似するが、学習によって更新されることなく、モデル式において常に一定の定数として扱われる。既知パラメータは、設備設計時の情報、または文献データ等によりあらかじめユーザが設定可能な既知のパラメータであり、たとえば外気ＣＯ２濃度、１人当たりのＣＯ２発生量などである。このうち、設計パラメータと変動パラメータは、演算装置１４のモデルパラメータ学習部１４ａによる学習結果である。なお、１度も学習が行われていない場合には設計パラメータおよび変動パラメータとして、あらかじめ適当な値が記憶されていてもよい。モデル式は記憶装置１３に記憶されず、演算装置１４内に回路として存在していてもよい。既知パラメータは学習の対象でない定数として扱うがシステムが設置される地域によって異なる値とするなど変更してもよい。設計パラメータのいずれかが、設備設計時の情報等により既知の値を持つ場合は、このパラメータを既知パラメータに分類してもよい。
【００２６】
（演算装置１４の詳細）
演算装置１４は、モデルパラメータ学習部１４ａを備える。このモデルパラメータ学習部１４ａは、ＣＯ２濃度演算部、設計パラメータ学習部、変動パラメータ学習部を備える。演算装置１４がＣＰＵ（中央演算処理装置）のプロセッサである場合、ＣＯ２濃度演算部、設計パラメータ学習部、変動パラメータ学習部はそれぞれ計算プログラムである。ＣＰＵ以外の電気回路を利用して演算処理を行ってもよい。
【００２７】
ＣＯ２濃度演算部はモデル式の演算規則を用いて、設計パラメータ、変動パラメータ、換気装置の運転データからＣＯ２濃度を演算する。設計パラメータ学習部および変動パラメータ学習部ではＣＯ２濃度演算部の演算によって得たＣＯ２濃度とＣＯ２センサ３の計測で得た実際のＣＯ２濃度である計測データとを比較し、その比較から、両者の差が小さくなるように設計パラメータ、変動パラメータを学習する。なお、ＣＯ２濃度演算部はＣＯ２濃度そのもの値でなく、ＣＯ２濃度と相関する値を計算して計測データと比較してもよい。たとえばＣＯ２濃度に定数を掛けた値で比較を行ってもよい。本発明においてＣＯ２濃度の演算、および演算で得たＣＯ２濃度と計測データと比較する構成はそのような場合も含むものとする。
【００２８】
次に、ＣＯ２濃度変化モデルについて説明する。なお、以下に示すモデルは一例であり、必ずしも以下に示す式に限定する必要はない。一般的なＣＯ２濃度の時間変化を表す微分方程式を（数１）に示す。ＣＯ２濃度に影響を与える因子として、換気量、隙間風量、人体ＣＯ２発生量、室容積がある。
【００２９】
【数１】
2015173842.tif 000003
【００３０】
本実施の形態１では、設備設計で一般的に用いる変数を用いて、単位床面積当たりのＣＯ２濃度の時間変化を表す微分方程式（数２）に変換し、これをＣＯ２濃度変化モデルのモデル式として定義する。
【００３１】
【数２】
2015173842.tif 000004
【００３２】
ここで、在室人員の時間変化とは、各時刻例えば１時間毎の在室率のことであり、在室できる者が全員在室しているときに１、全員不在のときに０の値をとる。また、換気の時間変化とは、各時刻例えば１時間毎の定格換気量に対する比率のことであり、定格風量のときに１、停止しているときに０の値をとる。
【００３３】
（数２）の式では天井高（ｍ）、設計換気風量（ｍ３／人・ｈ）、設計在室密度（人／ｍ２）、隙間風相当換気回数（回／ｈ）の４種類が設計パラメータである。また、在室人員の時間変化が変動パラメータである。１人当たりのＣＯ２発生量、外気ＣＯ２濃度が既知パラメータである。また、換気の時間変化は換気装置の運転データに対応する値である。これらのパラメータおよび運転データによって（数２）の式の右辺を時間に沿って順に積分する演算により建物における室内ＣＯ２濃度の時間変化を得ることができる。なお、所定期間のＣＯ２濃度の変動を利用して変動パラメータ、設計パラメータを学習する際には、室内のＣＯ２濃度の初期値として、所定期間の最初の時点で得たＣＯ２センサ３で計測値を用いてもよい。
【００３４】
次に、パラメータの学習手順について説明する。図３はパラメータの学習手順を示すフローチャートである。パラメータの学習処理フローは少なくともパラメータ学習装置１の導入時に１回実行する。ただし、モデルを学習するために必要なデータの収集、例えば１週間分のデータの収集が完了した後で実行する。図のステップＳＴ１のように換気装置の運転データ、ＣＯ２センサの計測データを記憶装置に保存する。各データはデータを取得した時刻とともに保存される。保存周期は、たとえば、１〜６０分間隔などとしてもよい。また、データを取得する間隔は一定に限らず、たとえば、昼間は夜間よりも頻繁にデータを保存するように設定してもよい。図のステップＳＴ２のようにパラメータの開始条件を判断し、条件を満たせばステップＳＴ３以降の処理を行い、満たさなければデータの取得と保存を継続する。開始条件は、たとえば上記のように１週間分のデータの収集が完了すること、などである。１週間は一例であり、モデルに要求される精度、記憶装置２の記憶容量等に応じて期間を設定すればよく、例えば１日分のデータであってもよいし、２週間分、または１か月分等のデータを記憶するよう設定してもよい。
【００３５】
上記のようなパラメータ学習装置１の導入時の１回に加え、定期的に図３に示す学習の処理フローを実行してもよい。例えば、１日１回学習を実行し、各パラメータを更新するように学習してもよい。このようにすることで、現実には日々変化する在室人員の時間変化を直近のデータを用いて学習でき、より実情に即した在室人員の時間変化を学習することができる。また、設計パラメータについても、データフィッティングによる学習結果の誤差を改善することも期待できる。すなわち、日々、直前の状況に近いモデルに更新されることになる。１日１回の実行では、例えば、後述する（ＣＯ２濃度予測の使用例に記載）、換気量スケジュールの立案の直前に実行するなどとすればよいが、このタイミングに限定する必要はない。また、上記では１日１回としたが、これは一例であり、１か月に１回、季節の変わり目等に実行してもよい。また、在室人員の時間変化が大きく変化することが予想されるフロアのリレイアウト、組織変更等に合わせて、不定期に実行してもよい。
【００３６】
これら実行をどの時点で行うかに関する情報、つまり開始条件は、記憶装置２の学習条件の一部として記憶しておくとよい。例えば、１日１回、翌日が平日のときのみ、２１時に自動で実行する等を記憶する。また、開始条件として入出力装置１１から指示があること、としてもよく、入出力装置１１から任意のタイミングで管理者等が入力指示して、ＳＴ３以降の演算処理を行わせるようにしてもよい。また、学習に用いるデータの期間、時間刻みは毎回同じである必要はない。例えば、導入時の実行では１週間分のデータを用いて学習し、１日１回の実行では１日分のデータを用いて学習するなどとしてもよい。
【００３７】
次のステップＳＴ３では記憶されている運転データ、計測データと学習条件を記憶装置１２から演算装置に読み込む。運転データ、計測データは、学習条件で与えられる過去の所定の期間における、換気装置の運転データとＣＯ２濃度データである。過去に記憶したデータのうち、特定の期間のデータのみを選択して読み込むようにしてもよい。たとえば、休日を除き平日のデータのみを読み込むように学習条件を設定してもよい。
【００３８】
次のステップＳＴ４では、換気装置の運転データから換気量の時間変化を演算する。例えば、換気装置の運転データのパターンが各時刻の運転状態が強・中・弱・停止で与えられるとき、この運転データのパターンと換気装置の定格風量とから換気量の時間変化を計算する。
【００３９】
次のステップＳＴ５では、変動パラメータを固定の時間変化パターンとして与え、設計パラメータを学習する。このステップではモデルパラメータ学習部内のＣＯ２濃度演算部と設計パラメータ学習部とが使用される。設計パラメータ学習部の説明で述べた値の変更は、通常複数回繰り返して学習を進める。変動パラメータは在室人員の時間変化などである。その場合、変動パラメータの初期値として、たとえば、建物または各部屋の在室率が、通常にその建物、部屋が使用される時間帯に１である、つまり全員が在室するとしたデータを使用する。
【００４０】
（数２）の式に基づくＣＯ２濃度変化モデルでは、設計パラメータは、天井高（ｍ）、設計換気風量（ｍ３／人・ｈ）、設計在室密度（人／ｍ２）、隙間風相当換気回数（回／ｈ）の４種類である。設計パラメータ学習部にて、これら４つの設計パラメータをそれぞれある値に設定する。設計パラメータの最初の値としては、同類の建物で典型的に知られた値などを使用することができる。ＣＯ２濃度演算部では、それらの値とステップＳＴ４で求めた換気量の時間変化とを、モデル式である（数２）の式に入力して、所定の期間におけるＣＯ２濃度の時間変化を演算する。このようにして、計測データを収集した各時刻のＣＯ２濃度が得られる。
【００４１】
そして設計パラメータ学習部では、演算によって得たＣＯ２濃度と計測データのＣＯ２濃度とを比較する。比較する両者の値の違いを、例えばＲＭＳＥ（二乗平均平方根誤差）で計算し、その値を設計パラメータの評価値とする。次に、上記４つの設計パラメータのうち、少なくとも１つの値を変化させ、ＣＯ２濃度演算部にて、換気量の時間変化と変動パラメータをＣＯ２濃度変化モデルの式に入力して所定の期間におけるＣＯ２濃度の時間変化を演算によって得る。なお、設計パラメータをどのように変化させるかは学習条件であらかじめ設定されている。この結果と、所定の期間におけるＣＯ２濃度の実測データとの違いをＲＭＳＥで計算し、その値を変化させた設計パラメータの評価値とする。そして、変化させた設計パラメータの評価値が変更する前に計算した評価値よりも減少していれば、より正しい値であると判断し、設計パラメータの値を更新する。しかし、評価値が変化しないか増大すれば、更新しない。
【００４２】
そして、設計パラメータ学習部では、設計パラメータのうち少なくとも１つの値を今度は別の異なる値に変化させて、ＣＯ２濃度演算部で設計パラメータの評価値を計算する。設計パラメータ学習部で同様に評価値を計算して、評価値が減少すれば設計パラメータの値を更新し、減少しなければ更新しないという処理を繰り返す。４つの設計パラメータについて順次変更していくことによって、演算によって得るＣＯ２濃度と実測によるＣＯ２濃度との差が小さくなるように設計パラメータの更新が行われる。
【００４３】
なお、上記は評価としてＲＭＳＥを用いたが、ＲＭＳＥは一例であって、これとは異なる指標を用いて評価してもよい。また、評価値が増大する場合でも、例えば確率的に更新することを許容してもよい。また、たとえば、ＣＯ２濃度の演算値と実測データの差が昼間は夜間に比べてできるだけ差が小さくなるように、精度を重視する時間帯を設定して評価してもよい。
【００４４】
評価値がある範囲内に収まったら次のステップＳＴ６に進むようにする。また、一定の演算繰り返し数、または一定時間演算を繰り返しても評価値が所定の範囲に入らなかった場合も次のステップＳＴ６に進むようにするとよい。また、設計パラメータの値を変化させる際に、その上限下限値として設備設計時の情報、文献値等である程度妥当な値に設定しておいてもよい。これらの値は学習条件として記憶装置１３に記憶されるようにする。設計パラメータの学習においては、各設計データの値が、この上下限値を逸脱しないように学習を進める。
【００４５】
次のステップＳＴ６では、設計パラメータの値を固定の値として与え、変動パラメータを学習する。変動パラメータ学習部の説明で述べた在室率の変更は、通常複数回繰り返して学習を進める。このステップではモデルパラメータ学習部内のＣＯ２濃度演算部と変動パラメータ学習部とが使用される。ステップＳＴ４で得た換気量の時間変化と、ステップＳＴ５で学習した設計パラメータ、および各時刻の在室率である変動パラメータを用いてＣＯ２濃度演算部にてＣＯ２濃度を演算する。変動パラメータ学習部ではＣＯ２濃度演算部で得たＣＯ２濃度とＣＯ２濃度の計測データとを比較する。例えばＲＭＳＥ（二乗平均平方根誤差）等により、この変動パラメータの値を評価する。
【００４６】
変動パラメータを変更する前よりも評価値としてＲＭＳＥが減少していれば、より正しい値であると判断して変更した変動パラメータに更新し、減少しない場合は変更しない処理を行う。その後、異なる時刻についても変動パラメータを変化させて順次、変動パラメータに更新して変動パラメータを学習する。変動パラメータを変化させる際に１つの時刻の在室率の値を変化させるだけでなく、複数の時刻のデータを同時に変化させるようにしてもよい。このように、学習では演算によって得るＣＯ２濃度と実測によるＣＯ２濃度との差が小さくなるように変動パラメータの更新が行われる。
【００４７】
評価値がある範囲内に収まるまでステップＳＴ６を繰り返し、変動パラメータを更新する。評価値がある範囲内に収まったら次のステップＳＴ７に進むようにする。また、一定の演算繰り返し数、または一定時間演算を繰り返しても評価値が所定の範囲に入らなかった場合も次のステップＳＴ７に進むようにするとよい。また、変動パラメータの値を変化させる際に、その上限下限値を設定しておいてもよい。これらの値は学習条件として記憶装置１３に記憶されるようにする。変動パラメータの学習においては、各データの値が、この上下限値を逸脱しないように学習を進める。
【００４８】
なお、上記は評価としてＲＭＳＥを用いたが、ＲＭＳＥは一例であって、これとは異なる指標を用いて評価してもよい。また、評価値が増大する場合でも、例えば確率的に更新することを許容してもよい。また、たとえば、ＣＯ２濃度の演算値と実測データの差が昼間は夜間に比べてできるだけ差が小さくなるように、精度を重視する時間帯を設定して評価してもよい。
【００４９】
評価方法として前のパラメータ学習のステップＳＴ５で用いたものと同じ評価値を使用してもよい。変動パラメータの評価として前のステップＳＴ５での設計パラメータの評価と同じ評価値を用いる場合は、ＳＴ５の最後の演算に使用した変動パラメータとその評価値を記憶しておいて、ステップＳＴ６で使用してもよい。ステップＳＴ６ではステップＳＴ５の最後の演算に使用した変動パラメータの値を少なくとも１つの時刻の在室率の値を変化させて、評価値を計算し、記憶していた変動パラメータの評価値と比較する。
【００５０】
また、評価値として設計パラメータ学習部と異なる値を用いてもよく、その場合は、ステップＳＴ５の最後の演算に使用した変動パラメータを初期値として評価値を得た後に、変更した変動パラメータの評価値を得て比較する。なお、変動パラメータをどのように変化させるかは学習条件であらかじめ設定されている。
【００５１】
変動パラメータである在室率の時間変化は、対象とする建物の運用状態によって、複数のパターンを生成してもよい。例えば、平日と休日は異なるパターンとする、特定の曜日に在室時間帯の制限がある場合はその曜日を他の曜日と異なるパターンとする、などとしてよい。休日などＣＯ２発生源となる人員の在室率が極めて小さい場合、換気装置２の省エネ制御の効果が小さい場合等、学習する効果が小さい場合には、学習の対象外としてもよい。
【００５２】
次のステップＳＴ７では、ステップＳＴ５、ステップＳＴ６を経て学習した設計パラメータ、変動パラメータで演算するＣＯ２濃度が所定の精度を満たすかどうかを判断する。精度を満たすかどうか評価する方法として設計データ学習部、変動パラメータ学習部で用いたのと同じ評価方法、たとえばＲＭＳＥを用いるなど、でもよく、また異なる評価方法を用いてもよい。評価値が所定の範囲に入れば、終了条件を満たす（ＹＥＳ）として次のステップＳＴ８に進み、範囲に入らない場合は終了条件を満たさない（ＮＯ）として、ステップＳＴ５に戻り、再度学習を行う。あるいは、ステップＳＴ５とステップＳＴ６を所定の回数繰り返した、学習開始後所定の時間を経過した、などを終了条件としてもよい。ステップＳＴ８では直前の最後の学習ステップで得た設計パラメータ、変動パラメータを学習結果として記憶装置に保存する。
【００５３】
なお、ステップＳＴ５とステップＳＴ６の実行順は逆でもよし、ステップＳＴ５での学習の繰り返し回数と、ステップＳＴ６での学習の繰り返し回数は同一でなくてもよい。また、学習の繰り返し回数は、ステップＳＴ５とステップＳＴ６の繰り返し数に応じて、変更してもよい。例えば、繰り返し数が進むにつれ、固定比率、確率的な比率で徐々に繰り返し回数を増加または減少させてもよいし、所定回数ごとに繰り返し回数を増加または減少させてもよい。ステップＳＴ５、ステップＳＴ６が繰り返し行われる場合、各ステップから次のステップに移行する評価値の基準が、繰り返し回数が増えるにつれて、より厳しい基準に変更されるようになっていてもよい。学習条件は種々に変更が可能であり、これらに限定する必要はない。
【００５４】
図４〜図６はパラメータ学習装置１を備えたシステムの変形例を示す構成図である。図４は、ＣＯ２センサ３が換気装置２の内部に備えられた場合の構成図である。ＣＯ２センサ３は換気装置２の内部の空気の流れの経路のいずれかに設置されて、そのＣＯ２センサ３で計測したＣＯ２濃度が室内のＣＯ２濃度として用いられる。この図ではＣＯ２センサ３のＣＯ２濃度データが換気装置２の制御回路の一部で記憶され、ファン２ｅなどの運転データとともにパラメータ学習装置１内の計測装置１２に伝達されることを示している。ＣＯ２センサ３のＣＯ２濃度データが直接にパラメータ学習装置１内の計測装置１２に伝達されるようにしてもよい。
【００５５】
図５は換気装置２の中の制御装置の一部にパラメータ学習装置１が含まれる場合の構成図である。図６は図５と同様にパラメータ学習装置１が換気装置２内に含まれるが、ＣＯ２センサ３が換気装置２の外部に設置された構成である。また、パラメータ学習装置１は、空調機と換気装置の両方を管理する空調コントローラであってもよい。このように、パラメータ学習装置１、換気装置２、ＣＯ２センサ３は様々な配置が可能である。
【００５６】
上記では１つの記憶装置１３に運転データ、計測データ、設計パラメータ、変動パラメータ、既知パラメータを記憶するように示したが、記憶装置１３が複数の記憶装置で構成されていてもよい。たとえば、異なるデータが異なる記憶装置に保存されるようにしてもよい。同様に演算装置１３が複数のハードウェアに分割されていてもよい。また上記では、換気装置２が１台であるかのように説明したが、複数台の換気装置２が存在する場合には、それぞれの換気装置２に対して個別にパラメータ学習をしてもよい。また、複数台の換気装置２をまとめて、容量の大きい１台の換気装置２とみなしてパラメータ学習してもよい。このとき、複数台の換気装置２の運転データや、ＣＯ２センサの計測データを、どのようにして統合して扱うかは、記憶装置１３に学習条件として記憶される。
【００５７】
以上のように本実施の形態１では建物内の空気を換気する換気装置２の運転データと、建物内のＣＯ２濃度を計測するＣＯ２センサ３の計測データと、建物内のＣＯ２の発生量の時間変化に相関する変動パラメータと、時間変化しない設計パラメータと、を記憶する記憶装置１３を備える。また、変動パラメータと設計パラメータと運転データとから建物内のＣＯ２濃度を演算する演算装置１４を備える。この演算装置１４は演算によって得たＣＯ２濃度と計測データのＣＯ２濃度とを比較して、その差が小さくなるように変動パラメータおよび設計パラメータを学習する。また、学習の手順として、建物内の空気を換気する換気装置の運転データと、建物内のＣＯ２濃度を計測するＣＯ２センサの計測データと、ＣＯ２の発生量の時間変化に相関する変動パラメータと、時間変化しない設計パラメータと、を記憶し、変動パラメータと設計パラメータと運転データとを用いて建物内のＣＯ２濃度を演算する。そして、演算の結果、得たＣＯ２濃度と計測データとを比較して、両者の差が小さくなるように、変動パラメータおよび前記設計パラメータを学習する。これらの変動パラメータおよび設計パラメータは換気装置２の省エネ運転のスケジュール作成などに使用されて時間を考慮した省エネ性向上に有用である。換気に関して建物が有する特性（設計パラメータ）とＣＯ２発生源の特性（変動パラメータ）とを、実際の換気運転動作中にデータを収集する構成であり、特別な計測手段なしに比較的簡単な構成で得ることができる。たとえば、ＣＯ２発生源として人員の時間的変化を得るのに入退管理システム等の特別な設備を導入する必要がない。また、ＣＯ２発生源の時間変化だけでなく、建物に関連する設計パラメータも学習するので、建物内部の構成、たとえば間仕切り移動、机などの配置の変化などがあった場合でも、精度よくＣＯ２濃度を演算することができるようになる。
【００５８】
また、本実施の形態１では、演算装置１４は、設計パラメータの学習と変動パラメータの学習とを独立に行うようにした。設計パラメータの学習においては、変動パラメータを一定として、設計パラメータを変化させてＣＯ２濃度を計算し、その結果を計測データと比較演算する。比較演算の結果が所定の条件を満した場合に、設計パラメータを変化させた設計パラメータで更新するように学習する。また、変動パラメータの学習においては、設計パラメータを一定として、変動パラメータを変化させてＣＯ２濃度を計算し、計測データと比較演算する。比較演算の結果が所定の条件を満した場合に、変動パラメータを変化させた変動パラメータで更新するように学習する。建物、空調設備に関する一般的指標、設計時の情報から、あらかじめ適切な上下限値を与えられることができる固定値の設計パラメータと、運用状態に応じて日々時間変化する変動パラメータ（在室率の時間変化）とは性質が大きく異なる。このように性質が異なるパラメータを、独立に学習するようにしたことによって、それぞれのパラメータを精度よく学習することができる。
【００５９】
また、本実施の形態１では、変動パラメータとして建物内人員の時間変化を用いたので、直接人員を数える入退管理システム等の設備を導入することなしに、ＣＯ２発生量のみならず、たとえば人が建物内で使用する水、電気などの時間変化も推定可能となる。
【００６０】
＜実施の形態２．＞
図７は実施の形態２のパラメータ学習装置１の詳細構成図である。パラメータ学習装置１を備えたシステムの構成は実施の形態１の図１、図４〜図６で示した構成と同様である。本実施の形態２の構成は、実施の形態１の構成に、さらに将来のＣＯ２濃度予測する機能を加えた構成である。以下、実施の形態１と同一の部分の説明は省略する。なお、図では運転データ、計測データを送信する換気装置２も示した。
【００６１】
記憶装置１３は、演算装置１４のモデルパラメータ学習部１４ａでのパラメータ学習に用いられる学習条件、運転データ、計測データと、ＣＯ２濃度変化モデルと、に加えて予測条件、将来の換気装置の運転予定、予測ＣＯ２濃度、を記憶する。また演算装置１４はモデルパラメータ学習部１４ａに加えて、ＣＯ２濃度予測部１４ｂを備える。演算装置１４がＣＰＵのプロセッサである場合、ＣＯ２濃度予測部１４ｂは計算プログラムである。ＣＯ２濃度予測部１４ｂが電気回路などで構成されていてもよい。
【００６２】
記憶装置１３が記憶する予測条件、将来の換気装置の運転予定はＣＯ２濃度予測部１４ｂが将来のＣＯ２濃度を演算する際に演算装置１４に読み出されて使用される。演算によって得た将来のＣＯ２濃度は予測ＣＯ２濃度として記憶装置１３に記憶される。
【００６３】
予測条件は、対象とする空調システムに関する設備情報、予測対象期間等である。将来の換気装置の運転予定は、予測対象期間における運転予定であり、その期間内の各時点で換気装置のファン、弁の作動状況が決められたデータである。
【００６４】
予測ＣＯ２濃度は、ＣＯ２濃度予測部１４ｂが演算した結果である、将来の換気装置の運転パターンに対して時間変化するＣＯ２濃度の予測結果である。
【００６５】
様々な運転予定から最も省エネとなる予定を決定する目的でＣＯ２濃度予測を行う場合には、複数の運転予定を用いる。複数の運転予定として異なる運転パターンをＣＯ２濃度予測部１４ｂで自動生成するようにしてもよい。
【００６６】
（ＣＯ２濃度予測部１４ｂ）
ＣＯ２濃度予測部１４ｂは、まず、将来の所定の期間における換気装置の運転予定を入力し、この運転予定に相当する換気量の時間変化を計算する。換気装置の運転予定のかわりに、換気量の時間変化そのものを与えてもよく、その場合には、この計算は不要である。次に、計算した換気量の時間変化を用いて、モデルパラメータ学習部１４ａのＣＯ２濃度演算部と同様にモデル式を用いてＣＯ２濃度を演算して、将来の所定の期間におけるＣＯ２濃度の時間変化を得る。ＣＯ２濃度予測部１４ｂでのＣＯ２濃度の演算にモデルパラメータ学習部１４ａと共通の計算プログラムを利用してもよい。
【００６７】
なお、換気装置の運転予定が強、中、弱、停止、などの強度レベルの時間変化として与えられる場合は、換気装置の定格風量と強度レベルの時間変化パターンから換気量の時間変化を計算するとよい。また、実施の形態１において換気装置の運転データが、強度レベルの時間変化として与えられる場合も、同様にして、換気量の時間変化を計算すればよい。
【００６８】
（ＣＯ２濃度予測の処理フロー）
図８は、本実施の形態２のＣＯ２濃度予測の処理手順を示すフローチャートである。図には示していないが、入出力装置１１または他の装置から予測を実行する指示が入力された場合、あるいは、あらかじめ設定された指定時刻または一定周期毎に予測処理を開始する。まず、ステップＳＴ１１で、演算装置１４は記憶装置１３に記憶されているＣＯ２濃度変化モデルの各パラメータ、モデル式と予測条件と将来の所定の期間における換気装置の運転予定とを読み込む。次のステップＳＴ１２では、ステップＳＴ１１で読み込んだデータを用いて、将来の所定の期間における換気装置の運転パターンに対応する換気量の時間変化を計算する。次のステップＳＴ１３では、ＣＯ２濃度変化モデルの各パラメータ、換気量の時間変化をモデル式に入力して演算し、将来の所定の期間におけるＣＯ２濃度の時間変化を予測する。ＣＯ２の発生量に相関する変動パラメータとして、過去のデータから学習したパラメータを将来も同じであるとして使用する。なお、特定の曜日などで変動パラメータが異なる場合は、将来の所定の期間が過去の特定の曜日の変動パラメータを使用すればよい。最後に、ステップＳＴ１４は、ＣＯ２濃度予測結果を記憶装置１３に保存する。
【００６９】
図９は本実施の形態２のＣＯ２濃度予測処理の説明図である。図の左側はステップＳＴ１１で読み込まれる換気量の時間変化を示している。換気量の時間変化は図のように換気量がどのように時間に対して変化するかであり、換気量パターンとして示すことができる。図の中央はステップＳＴ１１で読み込まれるＣＯ２濃度変化モデルであり、設計パラメータ、変動パラメータ、既知パラメータ、モデル式である。変動パラメータはＣＯ２発生量の時間変化の相関するパラメータであり、図のようにＣＯ２発生量がどのように時間に対して変化するかであり、たとえばＣＯ２発生量パターンとして示すことができる。そして換気量パターンとＣＯ２濃度変化モデルとを用いて演算することで、図の右側の予測ＣＯ２濃度を得ることができる。予測ＣＯ２濃度は時間に対してどのようにＣＯ２濃度するかを表したデータであり、たとえば図のような予測ＣＯ２濃度パターンとして得られる。
【００７０】
（ＣＯ２濃度予測の使用例：換気量スケジュールの立案）
本実施の形態２により実現されるパラメータ学習装置１の有用性を示す例として、ＣＯ２濃度予測を利用した換気装置２の省エネ制御について説明する。換気装置２の従来の制御では、各時刻でその時点の外気温、ＣＯ２濃度等に応じて換気装置２への制御指令を決定する。このような制御の場合は、各時刻でその時点における省エネ化を図ることは可能であるが、例えば１日間等の長い期間での省エネ性が不十分である。なお、１日間としたのは一例であり、数時間、数日間など、将来のある時間帯を示すものであればよく、特に限定しない。
【００７１】
例えば、夏の場合、日中は外気温が高いため、日中の換気量を減らした方が、一般的には空調システム全体（空調機＋換気装置）としては省エネとなる。一方、室内のＣＯ２濃度は法令基準等を守らなければならないため、これを守るための換気は必要である。そこで、例えば外気温が比較的低い午前中に事前に換気量を増やしておくことで、ＣＯ２濃度の基準は守りつつ日中の換気量を減らし、省エネを実現することが可能である。
【００７２】
また、冬の場合、午前中は外気温が低いため、午前中の換気量を減らした方が、一般的には空調システム全体（空調機＋換気装置）としては省エネとなる。そこで、例えば外気温が低い午前中に換気量を減らし、外気温が比較的高くなる日中に換気量を増やすことで、ＣＯ２濃度の基準は守りつつ日中の換気量を減らし、省エネを実現することが可能である。
【００７３】
このような換気の時間シフトは、各時刻でその時点における換気装置２の制御指令を決定するような従来の制御では実現することができず、例えば１日１回、翌日２４時間の換気量スケジュールを、例えば前日の夜間の２１時など、事前に立案する必要がある。この換気量スケジュールの立案のためには、様々な換気パターンに対するＣＯ２濃度の時間変化を予測することができなければならない。本実施の形態２で得たＣＯ２濃度予測はこのように換気量スケジュールの立案に利用することができる。本実施の形態２の空調システムのパラメータ学習装置１は、このような省エネ運転を実現するための装置である。
【００７４】
なお、上記の１日１回、翌日２４時間、夜間の２１時等は一例であり、これに限定する必要はない。例えば、翌日が平日のときにのみ換気量スケジュールを立案してもよいし、６時間分、１２時間分等の数時間分を立案してもよいし、夜間の２３時、朝の３時に立案するなどとしてもよい。また、換気量スケジュールの時間間隔は、例えば３０分間隔で計画するが、この時間間隔に限定する必要はない。
【００７５】
なお、上記のように午前、午後を通じて省エネを目指した換気量スケジュールを立案するには、少なくとも１日分のＣＯ２濃度が予測できることが望ましい。そのためには、ＣＯ２の発生量の時間変化に相関する変動パラメータは少なくとも１日分以上の変化に相関するパラメータであることが望ましい。また、そのような１日分以上の変動パラメータを学習によって得るために、過去１日以上の運転データおよび計測データが記憶装置１３に保存されていることが望ましい。
【００７６】
以上のように、本実施の形態２のパラメータ学習装置１は、実施の形態１の構成に加えて、学習によって得た変動パラメータ、設計パラメータ、既知パラメータを用いて、将来のＣＯ２濃度を予測するので、１日トータルで省エネとなる翌日の換気量スケジュールの作成など、換気装置の省エネ制御に利用することができる、といった従来にない顕著な効果を奏する。
【００７７】
＜実施の形態３．＞
図１０は、本発明の実施の形態３のパラメータ学習装置１の詳細構成図である。換気装置２、ＣＯ２センサ３との関係は、実施の形態１で説明した図１、4〜６と同一であるので説明は省略する。なお、図では運転データ、計測データを送信する換気装置２も示した。本実施の形態３において、パラメータ学習装置１は、建物内部の発熱量の時間変化を作成する。なお、この発熱量は建物内部で生じる平均的な値であり、その時間変化は内部発熱パターンとして作成される。
【００７８】
建物内部の発熱量はＣＯ２発生量と相関がある。たとえば、ＣＯ２の発生源が人である場合、人が発生する熱および人が使用する設備が発生する熱は建物内人員によっておおよそ決まる。また、ＣＯ２を発生する装置が内部にある場合も、その装置の発熱量とＣＯ２発生量とには相関がある。典型的な場合、この相関関係は比例関係である。本実施の形態３では、建物内部の発熱量はＣＯ２発生量と相関関係があるとした内部発熱パターンモデルを用いて、発熱量とＣＯ２発生量との関係式をもとにして内部発熱パターンを作成する。なお、関係式として比例式が簡単であるが、他の関数式、たとえばＣＯ２発生量の一次関数等であってもよい。これらの関係式は、平均的な人の発熱量、人が使用する設備で発生する熱量から計算して得た値でもよく、また経験的に得られた関係式であってもよい。
【００７９】
実施の形態１の（数２）の式で示されるＣＯ２濃度変化モデルのように、室内におけるＣＯ２の発生は人体による発生のみであるとした場合は、ＣＯ２発生量は在室人数に比例する。したがって、例えば関係式を一次関数とする場合、１人あたりの発熱量をａ、人数に関係なく発生する内部発熱をｂ、在室人数をｘとすると、各時刻における内部発熱Ｑは、Ｑ＝ａｘ＋ｂ、で表される。
【００８０】
以下、実施の形態１と異なる構成となる記憶装置１３と演算装置１４について述べる。その他の各構成要素の機能、処理内容については、実施の形態１と同一であるので説明は省略する。
【００８１】
（記憶装置１３）
記憶装置１３は、演算装置１４のモデルパラメータ学習部１４ａでのパラメータ学習に用いられる学習条件と、運転データ、計測データと、ＣＯ２濃度変化モデルと、内部発熱パターンとを記憶する。
【００８２】
学習条件は、対象とする空調システムに関する設備情報、パラメータ学習に用いる運転データ、計測データの所定の期間、学習終了条件等である。本実施の形態３では、実施の形態１で必要な学習条件に加え、１人あたりの発熱量を記憶する。１人あたりの発熱量としては、人体発熱と機器発熱の少なくとも一方を含む。人体発熱は、例えば文献データ等から１人あたり１００Ｗ等として与える。機器発熱は、例えば１人あたりに関係するＰＣ、コンセント、照明等による消費電力等から換算した発熱である。これらは一例であり、このような設定の仕方に限定する必要はなく、対象とする在室者の活動量、機器の運用状態に応じて、適切に設定すればよい。また、在室人数に関係なく発生する内部発熱も記憶してもよい。
【００８３】
運転データ、計測データは、過去の所定の期間の換気装置の運転データと、前記所定の期間においてＣＯ２センサで計測したＣＯ２濃度データとから構成される。具体的なデータの内容は、実施の形態１と同一である。
【００８４】
ＣＯ２濃度変化モデルは、実施の形態１と同一であり、設計パラメータと、変動パラメータと、既知パラメータとから構成される。特に、変動パラメータは、在室人員の時間変化であり、モデルパラメータ学習部１４ａの変動パラメータ学習部により学習される。
【００８５】
内部発熱パターンは、モデル学習に用いるデータの期間における、平均的な内部発熱の時間変化のパターンであり、モデルパラメータ学習部１４ａの内部発熱パターン作成部により作成される。例えば５分刻み、または３０分刻みなどの２４時間のパターンである。また、内部発熱パターンは、複数のパターンが存在してもよい。
【００８６】
（演算装置１４）
演算装置１４は、モデルパラメータ学習部１４ａを備える。モデルパラメータ学習部１４ａは、ＣＯ２濃度演算部と設計パラメータ学習部と変動パラメータ学習部と内部発熱の時間変化演算部とを備える。なお、内部発熱の時間変化演算部はモデルパラメータ学習部１４ａの一部でなく独立していてもよい。内部発熱の時間変化演算部を備えた演算装置１４のハードウェアとモデルパラメータ学習部１４ａを備えた演算装置１４のハードウェアとが別々であってもよい。設計パラメータ学習部と変動パラメータ学習部の機能は、実施の形態１と同一である。
【００８７】
（内部発熱の時間変化演算部）
内部発熱の時間変化演算部は、内部発熱の平均的な時間変化を表す内部発熱パターンを演算し、その結果を記憶部１３に記憶する。まず、変動パラメータ学習部の学習結果である在室人員の時間変化と、設計パラメータ学習部の学習結果である設計在室密度と、既知パラメータである床面積と、学習条件である１人あたりの発熱量とを、記憶装置１３から読み込む。次に、前記在室人員の時間変化に、設計在室密度と床面積と１人あたりの発熱量をかけたものを計算し、これを内部発熱パターンとして記憶部１３に記憶する。また、記憶部１３に、在室人数に関係なく発生する内部発熱が記憶されている場合、前記計算した内部発熱パターンの各時刻のデータに、前記在室人数に関係なく発生する内部発熱を加えたものを、新たに内部発熱パターンとして記憶部１３に記憶する。
【００８８】
在室人員の時間変化が複数存在する場合は、それぞれに対して上記演算を行い、複数の内部発熱パターンを作成し、記憶装置１３に記憶する。例えば、実施の形態１で述べた在室人員の時間変化と同様の考え方により、平日と休日の２つの内部発熱パターンをもってもよいし、曜日によって異なる内部発熱パターンをもってもよい。
【００８９】
記憶装置１３から読み込む１人あたりの発熱量は、人体発熱のみとしてもよいし、人体発熱と機器発熱の両方を合わせたものでもよい。人体発熱と機器発熱の両方を合わせた場合、ＰＣ・コンセント・照明等、人の在室パターンと連動して動作する機器の発熱も合わせて推定することができる。
【００９０】
また、図には示していないが、パラメータ学習装置１が電力計と電力計測部を備え、計測した機器の消費電力を記憶装置１３に記憶する構成としてもよい。この場合、消費電力に比例するデータを機器発熱として扱うことができる。さらに、１人あたりの発熱量に影響を与える個人所有のＰＣ等と、在室人数に関係なく発熱する共有部の機器等とを、別々に計測する構成としてもよい。この場合、これらの計測対象に応じて、記憶部１３に１人あたりの発熱量と、在室人数に関係なく発生する内部発熱を記憶する。
【００９１】
また、このようにして得た内部発熱パターンを将来の内部発熱パターンの予測として扱うこともできる。たとえば、この将来の内部発熱パターンを空調のスケジュールを立案に利用することができる。また、実施の形態２と実施の形態３の構成を組み合わせることにより、ＣＯ２濃度の予測と内部発熱の予測から空調と換気のスケジュールを立案するようにしてもよい。
【００９２】
以上のように、本実施の形態３ではＣＯ２発生量と前記建物内部の発熱量の相関関係式と、学習によって得た前記変動パラメータ及び前記設計パラメータを用いて、建物内部の発熱量の時間変化を演算する。換気装置２の運転データとＣＯ２センサ３の計測データのみから、平均的な内部発熱の時間変化を表す内部発熱パターンを作成することができる。従って、ＣＯ２濃度を一定以下に抑える換気装置を備えたシステムにおいて、発熱量の推定するために別途温度測定することが不要となり構成が簡単となる。
【００９３】
また、翌日の換気量スケジュールを立案する際に、例えば、中間期に設定温度に対して外気温が低いときに行う外気冷房に必要な換気量を適切に決定できるという効果がある。たとえば、内部発熱が大きいときは換気量を増やし、内部発熱が小さいときは換気量を減らすなどとする。
【００９４】
また、熱負荷、すなわち設定温度を維持するために必要な空調機の処理熱量、の時間変化を把握することができ、空調機が高効率で運転するような翌日の省エネ空調運転スケジュールを立案することもできる、という効果がある。
【００９５】
＜実施の形態４．＞
図１１は、本発明の実施の形態４のパラメータ学習装置１の詳細構成図である。換気装置２、ＣＯ２センサ３との関係は、実施の形態１で説明した図１、４〜６と同一であるので説明は省略する。なお、図では運転データ、計測データを送信する換気装置２も示した。本実施の形態４において、パラメータ学習装置１は、建物で使用される電力、つまり消費電力、の時間変化を作成する。この消費電力は建物全体で平均的な値であり、その時間変化は消費電力パターンとして作成される。
【００９６】
建物の消費電力はＣＯ２発生量と相関がある。たとえば、ＣＯ２の発生原が人である場合、人自体が使用する設備で使用される電力は建物内人員によっておおよそ決まる。この相関関係として典型的な場合は比例関係である。本実施の形態４では、建物の消費電力量はＣＯ２発生量と相関関係があるとした消費電力パターンを用いて、消費電力とＣＯ２発生量との関係式をもとにして消費電力パターンを作成する。なお、関係式として比例式が簡単であるが、他の関数式、たとえばＣＯ２発生量の一次関数等であってもよい。また、関係式は外気温・日射量等も考慮した関数を含む式であってもよい。これらの関係式は、人が使用する平均的電力から計算で得た値でもよく、また経験的に得られた関係式であってもよい。
【００９７】
実施の形態１の（数２）の式のＣＯ２濃度変化モデルのように、室内におけるＣＯ２の発生は人体による発生のみであるとした場合は、ＣＯ２発生量は在室人数に比例する。したがって、例えば関係式を一次関数とする場合、１人あたりの消費電力をｃ、人数に関係なく発生する消費電力をｄ、在室人数をｘとすると、各時刻における消費電力Ｐは、Ｐ＝ｃｘ＋ｄ、で表される。
【００９８】
以下、実施の形態１と異なる構成となる記憶装置１３と演算装置１４について述べる。その他の各構成要素の機能、処理内容については、実施の形態１と同一であるので説明は省略する。以下では、内部発熱の発生に関わる機器の消費電力パターンについて記載するが、空調機等の消費電力を含めてもよい。
【００９９】
（記憶装置１３）
記憶装置１３は、演算装置１４のモデルパラメータ学習部１４ａでのパラメータ学習に用いられる学習条件と、運転データ、計測データと、ＣＯ２濃度変化モデルと、消費電力パターンとを記憶する。
【０１００】
学習条件は、対象とする空調システムに関する設備情報、パラメータ学習に用いる運転データ、計測データの所定の期間、学習終了条件等である。本実施の形態４では、実施の形態１で必要な学習条件に加え、１人あたりの消費電力を記憶する。１人あたりの消費電力としては、例えば１人あたりに関係するＰＣ、コンセント、照明等による消費電力である。これらは一例であり、このような設定に限定する必要はなく、対象とする在室者の機器の運用状態に応じて、適切に設定すればよい。また、在室人数に関係なく発生する消費電力も記憶してもよい。１人あたりの消費電力と、在室人数に関係なく発生する消費電力のデータは、例えばフロア全体の消費電力、フロア内のエリア毎の消費電力、１台毎または複数台まとめた機器の消費電力、機器のカタログスペック、機器の数等を基に、管理者等が手動で設定して記憶してもよいし、これら情報を用いてパラメータ学習装置１が自動計算して記憶してもよい。
【０１０１】
運転データ、計測データは、過去の所定の期間の換気装置の運転データと、所定の期間においてＣＯ２センサで計測したＣＯ２濃度データとから構成される。具体的なデータの内容は、実施の形態１と同一である。
【０１０２】
ＣＯ２濃度変化モデルは、実施の形態１と同一であり、設計パラメータと、変動パラメータと、既知パラメータとから構成される。特に、変動パラメータは、在室人員の時間変化であり、モデルパラメータ学習部１４ａの変動パラメータ学習部により学習される。
【０１０３】
消費電力パターンは、モデル学習に用いるデータの期間における、平均的な消費電力の時間変化のパターンであり、モデルパラメータ学習部１４ａの消費電力の時間変化演算部により作成される。例えば５分刻み、３０分刻みなどの２４時間のパターンである。また、消費電力パターンは、複数のパターンが存在してもよい。
【０１０４】
（演算装置１４）
演算装置１４は、モデルパラメータ学習部１４ａを備える。モデルパラメータ学習部１４ａは、設計パラメータ学習部と変動パラメータ学習部と消費電力の時間変化演算部とを備える。なお、消費電力の時間変化演算部はモデルパラメータ学習部１４ａから独立していてもよい。消費電力の時間変化演算部を備えた演算装置１４のハードウェアとモデルパラメータ学習部１４ａを備えた演算装置１４のハードウェアとが別々であってもよい。設計パラメータ学習部と変動パラメータ学習部の機能は、実施の形態１と同一である。
【０１０５】
（消費電力の時間変化演算部）
消費電力の時間変化演算部は、消費電力の平均的な時間変化を表す消費電力パターンを演算し、その結果を記憶装置１３に保存する。まず、変動パラメータ学習部の学習結果である在室人員の時間変化と、設計パラメータ学習部の学習結果である設計在室密度と、既知パラメータである床面積と、学習条件である１人あたりの消費電力を、記憶装置１３から読み込む。次に、前記在室人員の時間変化に、設計在室密度と床面積と１人あたりの消費電力をかけたものを計算し、これを消費電力パターンとして記憶部１３に記憶する。また、記憶部１３に、在室人数に関係なく発生する消費電力が記憶されている場合、前記計算した消費電力パターンの各時刻のデータに、前記在室人数に関係なく発生する消費電力を加えたものを、新たに消費電力パターンとして記憶部１３に記憶する。
【０１０６】
在室人員の時間変化が複数存在する場合は、それぞれに対して上記演算を行い、複数の消費電力パターンを作成し、記憶装置１３に記憶する。例えば、実施の形態１で述べた在室人員の時間変化と同様の考え方により、平日と休日の２つの消費電力パターンをもってもよいし、曜日によって異なる消費電力パターンをもってもよい。記憶装置１３から読み込む１人あたりの消費電力は、ＰＣ、照明等の、人の在室人員の時間変化と連動して動作する機器の消費電力である。
【０１０７】
以上のように、本実施の形態４では、演算装置１４が、ＣＯ２発生量と建物内部の消費電力の相関関係式と、学習によって得た変動パラメータ及び設計パラメータを用いて、建物内部の消費電力の時間変化を演算する。換気装置２の運転データとＣＯ２センサ３の計測データのみから、平均的な消費電力の時間変化を表す消費電力パターンを作成することができる。従って、ＣＯ２濃度を一定以下に抑える換気装置を備えたシステムにおいて、消費電力量の推定するために別途電力計でデータを計測することが不要となり構成が簡単となる。
【０１０８】
この結果、機器発熱のパターンを把握することができ、翌日の換気量スケジュールを立案する際に、例えば、中間期に設定温度に対して外気温が低いときに行う外気冷房に必要な換気量を適切に決定できるという効果がある。内部発熱が大きいときは換気量を増やし、内部発熱が小さいときは換気量を減らす、とする。
【０１０９】
また、熱負荷すなわち設定温度を維持するために必要な空調機の処理熱量の時間変化を把握することができ、空調機が高効率で運転するような翌日の省エネ空調運転スケジュールを立案することもできる、という効果がある。
【０１１０】
以上の実施の形態で説明したパラメータ学習装置、パラメータ学習装置を備えるシステム、パラメータ学習の方法について、種々の変更、組み合わせが可能である。記憶装置１３、演算装置１４がそれぞれ複数のハードウェアに分かれて構成されていてもよい。記憶装置１３、演算装置１４の一部、または全部が一体のハードウェアで構成されていてもよい。学習において設計パラメータ、変動パラメータの学習順序を変更してもよく、また、設計パラメータ、変動パラメータを同時に学習するようにしてもよい。
【産業上の利用可能性】
【０１１１】
換気装置を備えたシステムにおいて有用である。
【符号の説明】
【０１１２】
１  空調システムのパラメータ学習装置、２  換気装置、１１  入出力装置、１２  計測装置、１３  記憶装置、１４  演算装置、１４ａ  モデルパラメータ学習部、１４ｂ  ＣＯ２濃度予測部、１５  制御指令出力装置。
【図１】
2015173842.tif 000005
【図２】
2015173842.tif 000006
【図３】
2015173842.tif 000007
【図４】
2015173842.tif 000008
【図５】
2015173842.tif 000009
【図６】
2015173842.tif 000010
【図７】
2015173842.tif 000011
【図８】
2015173842.tif 000012
【図９】
2015173842.tif 000013
【図１０】
2015173842.tif 000014
【図１１】
2015173842.tif 000015
【手続補正書】
【提出日】平成28年11月2日(2016.11.2)
【手続補正１】
【補正対象書類名】特許請求の範囲
【補正対象項目名】全文
【補正方法】変更
【補正の内容】
【特許請求の範囲】
【請求項１】
建物内の空気を換気する換気装置の運転データと、前記建物内のＣＯ２濃度の計測データと、前記建物内のＣＯ２の発生量の時間変化に相関する変動パラメータと、前記建物の時間変化しない設計パラメータと、を記憶する記憶装置と、
前記変動パラメータと前記設計パラメータと前記運転データとから前記建物内のＣＯ２濃度を演算する演算装置と、を備え、
前記演算装置は、
前記設計パラメータの学習においては、前記変動パラメータを一定として、前記設計パラメータの変化を繰り返し、変化させた設計パラメータでＣＯ２濃度を計算し、前記計算されたＣＯ２濃度と前記計測データとを比較して両者の値の違いを計算し、前記値の違いをより減少させる前記変化させた設計パラメータで前記設計パラメータを更新するように学習し、
前記変動パラメータの学習においては、前記設計パラメータを一定として、前記変動パラメータの変化を繰り返し、変化させた変動パラメータでＣＯ２濃度を計算し、前記計算されたＣＯ２濃度と前記計測データとを比較して両者の値の違いを計算し、前記値の違いをより減少させる前記変化させた変動パラメータで前記変動パラメータを更新するように学習する
ことを特徴とするパラメータ学習装置。
【請求項２】
前記設計パラメータが、天井高Ｈ、設計換気風量Ｇｖ、設計在室密度Ｎｏｃｃ、隙間風相当換気回数Ｇｄｒａｆｔであり、
前記変動パラメータが、在室人員の時間変化ρｏｃｃであり、
前記運転データが、換気の時間変化Ｐｖｅｎｔであり、
前記演算装置は、
前記設計パラメータと、前記変動パラメータと、前記運動データと、一人当たりのＣＯ２発生量Ｍと、外気ＣＯ２濃度ρｏと、前記ＣＯ２濃度ρｚとで表される以下の数式１により、前記ＣＯ２濃度を計算し、前記設計パラメータと前記変動パラメータを学習する
ことを特徴とする請求項１に記載のパラメータ学習装置。
【数１】
2015173842.tif 000016
【請求項３】
前記演算装置が前記変動パラメータを用いて将来のＣＯ２濃度を予測計算することを特徴とする請求項１または２に記載のパラメータ学習装置。
【請求項４】
前記演算装置が、将来の換気装置の運転予定を用いて将来のＣＯ２濃度の時間変化を予測することを特徴とする請求項１〜３のいずれか１項に記載のパラメータ学習装置。
【請求項５】
前記演算装置が、ＣＯ２発生量と前記建物内部の発熱量の相関関係式と、学習によって得た前記変動パラメータ及び前記設計パラメータを用いて、建物内部の発熱量の時間変化を演算することを特徴とする請求項１〜３のいずれか１項に記載のパラメータ学習装置。
【請求項６】
前記演算装置が、ＣＯ２発生量と前記建物内部の消費電力の相関関係式と、学習によって得た前記変動パラメータ及び前記設計パラメータを用いて、建物内部の消費電力の時間変化を演算することを特徴とする請求項１〜３のいずれか１項に記載のパラメータ学習装置。
【請求項７】
建物内の空気を換気する換気装置の運転データと、前記建物内のＣＯ２濃度を計測するＣＯ２センサの計測データと、ＣＯ２の発生量の時間変化に相関する変動パラメータと、時間変化しない設計パラメータと、を記憶し、
前記変動パラメータと前記設計パラメータと前記運転データとを用いて前記建物内のＣＯ２濃度を演算し、
前記設計パラメータの学習においては、前記変動パラメータを一定として、前記設計パラメータの変化を繰り返し、変化させた設計パラメータでＣＯ２濃度を計算し、前記計算されたＣＯ２濃度と前記計測データとを比較して両者の値の違いを計算し、前記値の違いをより減少させる前記変化させた設計パラメータで前記設計パラメータを更新するように学習し、
前記変動パラメータの学習においては、前記設計パラメータを一定として、前記変動パラメータの変化を繰り返し、変化させた変動パラメータでＣＯ２濃度を計算し、前記計算されたＣＯ２濃度と前記計測データとを比較して両者の値の違いを計算し、前記値の違いをより減少させる前記変化させた変動パラメータで前記変動パラメータを更新するように学習する
ことを特徴とするパラメータ学習方法。
【国際調査報告】
2015173842.tif 000017
2015173842.tif 000018
2015173842.tif 000019
2015173842.tif 000020